(57)【要約】【課題】無線モジュールとタッチパネルを搭載する電子機器がタッチパネルの誤動作を防止する。【解決手段】タッチパッド１９の下にＮＦＣコイル２１を配置している。ＮＦＣの際に、ＮＦＣカード５１は、タッチパッド１９の表面に接近する。タッチ・コントローラは、ＮＦＣモジュールが交番磁束を放射しないときに指の検出感度を基準値に設定する。タッチ・コントローラはＮＦＣコイル２１が交番磁束の放射を開始するタイミングで検出感度を低下させる。タッチ・コントローラはＮＦＣコイル２１が交番磁束の放射を停止するタイミングで検出感度を基準値に復帰させる。タッチ・コントローラが検出感度を変更する信号は、ＮＦＣモジュールがハードウェア・ラインを通じて直接タッチ・コントローラに送る。【選択図】図１
2017228173.tif 000002
【特許請求の範囲】
【請求項１】
電磁結合型の無線モジュールと、
前記無線モジュールに接続されたコイルと、
タッチパネルと、
前記タッチパネルに対する操作を所定の検出感度で検出し、前記コイルが交番磁束を放射している間だけ前記検出感度を低下させるタッチ・コントローラと
を有する電子機器。
【請求項２】
前記無線モジュールが近距離無線通信（ＮＦＣ）の規格に適合する請求項１に記載の電子機器。
【請求項３】
前記タッチ・コントローラは前記無線モジュールからハードウェア伝送路を通じて前記コイルが交番磁束を放射していることを示す送信信号を受け取る請求項１に記載の電子機器。
【請求項４】
前記タッチ・コントローラは前記無線モジュールが通信対象デバイスの接近を探索するための交番磁束を放射している間、前記検出感度を低下させる請求項１に記載の電子機器。
【請求項５】
前記タッチ・コントローラは前記無線モジュールが前記通信対象デバイスと通信するための交番磁束を放射している間、前記タッチパネルからの入力をディスエーブルにする請求項４に記載の電子機器。
【請求項６】
前記タッチパネルがマウス・カーソルの操作をするタッチパッドである請求項１に記載の電子機器。
【請求項７】
前記コイルを前記タッチパッドの裏面に前記タッチパッドに隣接するように配置した請求項６に記載の電子機器。
【請求項８】
前記タッチパッドの輪郭の投影が前記コイルの輪郭に重なる請求項７に記載の電子機器。
【請求項９】
前記コイルを前記タッチパッドの裏面に配置した前記タッチパッドの回路基板上のパターンで形成した請求項６に記載の電子機器。
【請求項１０】
前記コイルがディスプレイを含むタッチスクリーンに組み込まれている請求項１に記載の電子機器。
【請求項１１】
無線モジュールと、
前記無線モジュールに接続された放射素子と、
タッチパネルと、
前記タッチパネルに対する操作を所定の検出感度で検出し、前記放射素子が電磁界を形成する間だけ前記検出感度を低下させるタッチ・コントローラと
を有する電子機器。
【請求項１２】
無線モジュールとタッチパッドを搭載した電子機器が前記タッチパッドの誤動作を防止する方法であって、
前記タッチパッドが指の接近により変化する物理量を所定の検出感度で検出するステップと、
前記無線モジュールによる交番磁束の放射に応じて前記検出感度を低下させるステップと、
前記交番磁束の放射の停止に応じて前記所定の検出感度に復帰するステップと
を有する方法。
【請求項１３】
前記タッチパッドに接近した相手側デバイスを検出するための第１の交番磁束を放射するステップと、
前記第１の交番磁束の放射に応じて前記検出感度を低下させるステップと、
前記相手側デバイスと通信するための第２の交番磁束を放射するステップと、
前記第２の交番磁束を放射する間、前記タッチパッドの検出機能を停止するステップと
を有する請求項１２に記載の方法。
【発明の詳細な説明】
【技術分野】
【０００１】
本発明は、アンテナの近辺に配置したタッチパネルの誤動作を防止する技術に関する。
【背景技術】
【０００２】
ＮＦＣ（Near Field Communication）フォーラムという標準化団体が技術仕様を策定しISO/IEC14443、ISO/IEC18092として規定した通信規格のＮＦＣでは、ＮＦＣコイル同士を２センチメートルから４センチメートル程度以下まで接近させて通信を行うことができる。近年のラップトップ型携帯式コンピュータ（ラップトップ）には、ＮＦＣをサポートするものがある。
【０００３】
特許文献１は、タッチパッドとアンテナ装置を備える電子機器がタッチパッドの誤操作を抑制する発明を開示する。同文献には、タッチパッドの真下にアンテナ装置を配置すると、アンテナ装置の通信時にタッチパッドの検出領域を磁束が貫いてタッチパッドが誤動作することを記載する。特許文献２は、閉じた状態のノートブック型パーソナル・コンピュータのタッチパッドの誤検知に起因する誤動作を防止する発明を開示する。
【０００４】
同文献には、閉じた状態に対応する所定のコードが入力されたオペレーティング・システムが、タッチパッド・ドライバを無効にすることを記載する。特許文献３は、静電容量式タッチパネルを備えた液晶表示装置において、静電容量タッチセンサに対する液晶駆動装置からのノイズの影響を回避する発明を開示する。同文献には、液晶パネルを駆動する駆動信号にバラツキが発生したときに、タッチセンサを走査する周波数を変更することを記載する。
【０００５】
特許文献４は、ＬＣＤからのノイズが侵入したときにもタッチパネルの入力を継続可能にする発明を開示する。同文献には、タッチパネルが許容される入力点数以上の入力を検出したときに、電圧制御プログラムがγ補正曲線を変更してＬＣＤが発生するノイズのレベルを低下させることを記載する。
【先行技術文献】
【特許文献】
【０００６】
【特許文献１】特開２０１５−３２１１３号公報
【特許文献２】特開２０１４−１０７０７号公報
【特許文献３】国際公開ＷＯ２０１２／０９６２５９号公報
【特許文献４】特開２０１１−１５８９３６号公報
【発明の概要】
【発明が解決しようとする課題】
【０００７】
ラップトップでは、筐体への影響の軽減、および他のデバイスとの干渉対策などの物理的な側面において、タッチパッドの真下がＮＦＣコイルの設置場所に適している。他方で、ＮＦＣコイルが磁束を放射すると、ノイズでタッチパッドが誤動作をすることが確認されている。これまで誤動作を防止するためのさまざまな対策が施されている。たとえばＮＦＣコイルの位置を工夫したり、タッチパッドとＮＦＣコイルの間にグランド・メッシュ層を介在させたりする方法がある。
【０００８】
これらは、タッチパッドを通過する磁束を弱めてノイズ・レベルを下げる効果があるが、空間に放射される磁束も弱くなるためＮＦＣに支障がでる。ＮＦＣモジュールが弱い磁束を放射する方法も同様にＮＦＣに支障をきたす。ノイズの検出レベルと指の検出レベルを確認して、検出の閾値を適切に設定する方法も考えられるが、取り付け環境に個体差があるため個別に調整する必要があり手間がかかる。
【０００９】
そこで本発明の目的は、無線モジュールとタッチパネルを搭載する電子機器がタッチパネルの誤動作を防止することにある。さらに本発明の目的は、タッチパネルの利用に支障をきたさないようにしながら誤動作を防止することにある。さらに本発明の目的は、無線通信に支障をきたさないようにしながら誤動作を防止することにある。
【課題を解決するための手段】
【００１０】
本発明の一の態様は、電磁結合型の無線モジュールと、無線モジュールに接続されたコイルと、タッチパネルと、タッチパネルの座標を所定の検出感度で検出し、コイルが磁束を放射している間だけ検出感度を低下させるタッチ・コントローラとを有する電子機器を提供する。無線モジュールは近距離無線通信（ＮＦＣ）の規格に適合するものでもよい。
【００１１】
本発明の他の態様は、無線モジュールと、無線モジュールに接続された放射素子と、タッチパネルと、タッチパネルに対する操作を所定の検出感度で検出し、放射素子が電磁界を形成する間だけ検出感度を低下させるタッチ・コントローラとを有する電子機器を提供する。
【００１２】
本発明のさらに他の態様は、無線モジュールとタッチパネルを搭載した電子機器がタッチパネルの誤動作を防止する方法を提供する。タッチパネルが指の接近により変化する物理量を所定の検出感度で検出し、無線モジュールによる交番磁束の放射に応じて検出感度を低下させる。交番磁束の放射の停止に応じて所定の検出感度に復帰する。
【発明の効果】
【００１３】
本発明のいずれかまたはすべての態様により、無線モジュールとタッチパネルを搭載する電子機器がタッチパネルの誤動作を防止することができた。さらに本発明のいずれかまたはすべての態様により、タッチパネルの利用に支障をきたさないようにしながら誤動作を防止することができた。さらに本発明のいずれかまたはすべての態様により、無線通信に支障をきたさないようにしながら誤動作を防止することができた。
【図面の簡単な説明】
【００１４】
【図１】ＮＦＣをサポートするラップトップ１０の概要を説明するための斜視図である。
【図２】ラップトップ１０のＮＦＣコイル２１とＮＦＣカード５３のＮＦＣコイル５１が電磁結合するときの様子を説明するための図である。
【図３】ＮＦＣコイル２１の取り付け位置を説明するための断面図および底面図である。
【図４】誤動作防止システム２００の構成の一例を示す機能ブロック図である。
【図５】誤動作防止システム２００の動作を示すフローチャートである。
【図６】ＮＦＣモジュール２０３が交番磁束を放射する様子を説明するための図である。
【図７】他の実施形態にかかるデュアル・スクリーン式の電子機器４００の斜視図である。
【発明を実施するための形態】
【００１５】
[電磁結合型の無線通信]
多くの無線通信では、送信アンテナが放射したエネルギーが電磁波となって空間を伝搬し、受信アンテナが空間の電磁波からエネルギーを吸収する。送信アンテナに交流電圧を印加すると高周波電流が流れてアンテナの周辺に電界と磁界（電磁界）が発生する。無線通信に利用する電磁波は、電界と磁界が相互に連鎖するように生成されて長い距離を伝搬する。データは搬送波となる電磁波をベースバンド信号で変調して伝送することができる。
【００１６】
他方で、送信コイルに交流電流を流すと近傍の空間に交番磁界が発生する。交番磁界は空間の透磁率に応じた大きさの交番磁束を生成し、当該交番磁束と鎖交した受信コイルには電磁誘導で電圧が誘起される。この現象を電磁誘導または電磁結合といい無線通信に利用することができる。送信コイルも交流電流が流れると電磁波を放射するが、接近するコイル同士の電磁結合を利用して通信する方式を、電磁波を利用する通信方式と区別して電磁結合型の無線通信という。
【００１７】
電磁結合型の無線通信は、ＮＦＣの他に、ＲＦＩＤ、およびＦｅｌｉｃａ（登録商標）などで採用されている。また、無線による電力伝送でも採用されている。電磁結合型の無線通信では搬送波が交番磁束となり、通信距離は電磁結合が可能な近傍磁界の範囲になるため通信距離は短い。電磁結合型の無線通信では、送信コイルの近傍に多量の交番磁束が発生するため無線モジュールを電子機器に搭載するとノイズ源になりなりやすい。
【００１８】
ＮＦＣには、リーダ・ライタが電源をもたない非接触ＩＣカードと通信を行うパッシブ通信と、電源を備えた２つの機器が交互にイニシエータとターゲットになって通信するアクティブ通信が定義されている。パッシブ通信において、イニシエータとして動作するポーリング・デバイスは、ターゲットとなるリスニング・デバイスに対してエネルギーを供給するために強い交番磁束を放射する。
【００１９】
[ラップトップ]
図１は、ＮＦＣをサポートするラップトップ１０の概要を説明するための斜視図である。ラップトップ１０は、ディスプレイ１３を搭載するディスプレイ筐体１１と、表面にキーボード１７やタッチパッド１９を搭載し、内部にシステム・デバイスを実装した回路基板を収納するシステム筐体１５が開閉できるように結合されている。タッチパッド１９の下部にはＮＦＣコイル２１を配置している。
【００２０】
タッチパッド１９は、接触した指を検出して指示座標を特定するタッチパネルを利用してディスプレイ１３が表示するマウス・カーソルの操作をする。タッチパッド１９は一例として投影式静電容量型とすることができるが、電磁誘導式または抵抗膜式のような、他の検出原理を採用していてもよい。タッチパッド１９には、指の位置を検出するための複数の電極がＸ方向とＹ方向に並んでいる。タッチパッド１９の操作面は、ＮＦＣカード５３のアクセス面にもなる。ＮＦＣカード５３は、ＮＦＣコイル５１とＩＣチップ５５を実装する。
【００２１】
ラップトップ１０がＮＦＣカード５３に読み書きする際には、ユーザが操作面とみたてたタッチパッド１９にＮＦＣカード５３を接近させる。タッチパッド１９およびキーボード１７の周囲には金属材料のパームレスト２３を設けている。ＮＦＣコイル２１は、ＮＦＣカード５３との間に金属が介在すると磁界が弱くなる。タッチパッド１９の直下は、ＮＦＣカード５３との間の良好な磁路を構築できる点において、筐体の条件が制約されているラップトップ１０のなかでＮＦＣコイル２１の位置に適している。
【００２２】
図２は、ラップトップ１０が搭載するＮＦＣコイル２１とＮＦＣカード５３が実装するＮＦＣコイル５１が電磁結合するときの様子を説明するための図である。ＮＦＣでは、１３．５６ＭＨｚの周波数帯を利用する。ＮＦＣコイル２１に利用周波数帯の高周波電流が流れると、周囲に交番磁界が発生しコイル開口の一方から他方に１３．５６ＭＨｚの交番磁束３１が搬送波となって流れる。交番磁束３１と鎖交する位置までＮＦＣコイル５１が接近すると誘起電圧が発生する。交番磁束３１は、ＮＦＣコイル２１の近辺に存在する金属にも電圧を誘起するが、それらは各デバイスにとってノイズとなる。交番磁束３１は、タッチパッド１９を貫通して流れるため、電極にもノイズが発生する。
【００２３】
図３は、ＮＦＣコイル２１の取り付け位置を説明するための断面図および底面図である。図３（Ａ）はタッチパッド１９を含む部分的な断面図で、図３（Ｂ）は、フェライト・シート１０５を取り除いた状態を示す底面図である。タッチパッド１９の底面には操作されたタッチパッド１９の座標を検出するタッチ・コントローラ２０５（図４）や配線パターンを実装したプリント基板（ＰＣＢ）１０１を配置している。ＰＣＢ１０１の下側には、ＮＦＣコイル２１のパターンを形成したフレキシブル印刷回路基板（ＦＰＣ）１０３を配置している。ＮＦＣコイル２１は、ＰＣＢ１０１に実装したコネクタ１０７でＮＦＣモジュール２０３（図４）に接続される。
【００２４】
ＦＰＣ１０３の下側には、ＮＦＣコイル２１が放射する磁束を強めるためのフェライト・シート１０５を配置している。ＮＦＣコイル２１は、ＰＣＢ１０１に配線パターンとして形成してもよい。ＮＦＣコイル２１はタッチパッド１９の真下で、輪郭が、タッチパッド１９の輪郭の投影の内側または投影に重なるように配置しているため、タッチパッド１９の表面から外側にＮＦＣに必要な磁束を放射することができる。
【００２５】
図４は、誤動作防止システム２００の構成の一例を示す機能ブロック図である。誤動作防止システム２００は、上位システム２０１、電磁結合型のＮＦＣモジュール２０３、タッチ・コントローラ２０５、タッチパッド１９およびＮＦＣコイル２１で構成している。上位システム２０１は、ＣＰＵ、システム・メモリ、チップセットおよび二次記憶装置などのハードウェアとデバイス・ドライバ、ＯＳ、アプリケーション・プログラムなどのソフトウェアで構成している。
【００２６】
上位システム２０１は、タッチ・コントローラ２０５の座標を入力として動作することができる。上位システム２０１は、ＮＦＣモジュール２０３との間でデジタル・データを交換してＮＦＣカード５３と通信することができる。ＮＦＣモジュール２０３は、ベースバンド部２０３ａとＲＦ部２０３ｂを含む。ベースバンド部２０３ａは、上位システムから受け取った変調前のベースバンド信号と、ＲＦ部２０３ｂから受け取った復調後のベースバンド信号を処理する。ＲＦ部は、送信時にベースバンド信号で搬送波を変調し受信時に副搬送波をベースバンド信号に復調する。
【００２７】
ＮＦＣモジュール２０３は、イニシエータとなって内蔵電源がないＮＦＣカード５３とパッシブ通信をすることができる。ＮＦＣモジュール２０３は、電源が投入されると特定のタイミングのときだけＮＦＣアンテナ２１から交番磁束３１を放射する。交番磁束３１の放射のタイミングは図６を参照して説明する。ＮＦＣモジュール２０３は、ＮＦＣコイル２１から交番磁束を放射している間、ハードウェア・ライン２０７を通じて送信信号を直接タッチ・コントローラ２０５に出力する。
【００２８】
送信信号は、ＮＦＣモジュール２０３が交番磁束３１を放射している時間に同期してタッチ・コントローラ２０５が指を検出する閾値を変更するために利用する。したがって、送信信号は、時間遅れがないようにする必要がある。ハードウェア・ライン２０７は、ＣＰＵが実行するデバイス・ドライバやファームウェアを介在しないで信号を伝送できるため、交番磁束を放射する周期が短いプレ・ポーリング・モード（図６の説明を参照）のときにもＣＰＵの動作の影響を受けないで送信信号を送ることができる。
【００２９】
ＮＦＣモジュール２０３は同様のハードウェア・ライン２０９を通じて、コミュニケーション・モードに移行したことを示すディスエーブル信号を直接タッチ・コントローラ２０５に出力する。ディスエーブル信号は、タッチ・コントローラ２０５が指の検出を停止するため、または検出した座標の出力を停止するために利用する。ハードウェア・ライン２０９はハードウェア・ライン２０７と共用することもできる。送信信号とディスエーブル信号の利用方法は図５のフローチャートを参照して説明する。
【００３０】
タッチパッド１９は、指の接近を検出するためにＸ方向とＹ方向に並んだ複数の電極を備える。指が接近した電極には人体の寄生容量が付加される。タッチパッド１９は、指の接近を電極の自己静電容量の変化または隣接する電極間の相互静電容量の変化のいずれかとして検出する。タッチパッド１９は、同時に複数の場所で指を検出するマルチ・タッチをサポートしてもよい。
【００３１】
タッチ・コントローラ２０５は、ドライブ回路２１１とセンス回路２１３でタッチパッド１９の電極に接続される。本発明においてタッチ・コントローラ２０５が指の座標を検出する原理は特に限定する必要はない。タッチ・コントローラ２０５は、ドライブ回路２１１を通じてタッチパッド１９に印加した交流電圧またはパルス電圧に対して応答するセンス回路２１３の物理量の大きさから指の接近を検出することができる。
【００３２】
このとき指の検出に利用する物理量（検出物理量）は、コンデンサの充電時間、電圧、電流、または静電容量の大きさなどのような、寄生容量の大きさを代用するいずれかとすることができる。タッチ・コントローラ２０５は、検出物理量に対して閾値を設け、一例では検出物理量が閾値を超えたときに指を認識して座標を特定する。タッチパッド１９の電極には、ＮＦＣコイル２１が放射する交番磁束３１で誘導電圧が誘起される。誘導電圧はさまざまな周波数成分を含み、センス回路２１３からタッチ・コントローラ２０５にノイズとなって侵入する。
【００３３】
タッチ・コントローラ２０５は、ノイズを検出物理量として認識する。タッチ・コントローラ２０５はノイズがもたらす検出物理量が閾値を超えるとノイズを指と認識する。ノイズが生成した検出物理量のレベルは、指が生成した検出物理量のレベルに比べて小さい。したがって、閾値を高くすればノイズを指と認識する確率は低下するが、同時に指を認識する確率も低下する。ノイズの検出物理量のレベル、指の検出に支障のない検出物理量のレベルを特定して、その間に閾値を設定することは、ラップトップごとに条件が異なるため手間がかかる。
【００３４】
なお、検出物理量に対する閾値は、指の検出感度の高低を決める値に相当しており、システムによっては閾値が低いほど検出感度が低くなる場合もあるがいずれでもよい。タッチ・コントローラ２０５は、ハードウェア・ライン２０７を通じて送信信号を受け取ったときだけ検出感度を低下させるように閾値を変更する。検出感度の低下により、一時的に指の検出性能は低下するがノイズ耐性は高くなる。
【００３５】
図５は、誤動作防止システム２００の動作を示すフローチャートである。図６は、ＮＦＣコイル２１が交番磁束３１を放射する様子を説明するための図である。ブロック３０１でＮＦＣモジュール２０３およびタッチ・コントローラ２０５が動作する。ブロック３０３でタッチ・コントローラ２０５は、検出物理量に対する閾値をＮＦＣの影響を考慮しないで指を検出する基準閾値に設定する。ブロック３０５でＮＦＣモジュール２０３はポーリング・デバイスとして動作し、リスニング・デバイスとして動作するＮＦＣカード５３の接近を待つ。
【００３６】
ＮＦＣカード５３は、タッチパッド１９に接近したときにイニシエータとしてＮＦＣモジュール２０３に信号を送ることはないため、ＮＦＣモジュール２０３は任意のタイミングでのＮＦＣカード５３の接近を検出する必要がある。ＮＦＣモジュール２０３は、常時、通信に利用する交番磁束３１を放射してＮＦＣカード５３からの応答を待つようにしてもよいが、ＮＦＣカード５３が接近するまでのラップトップ１０の消費電力を低減するためにＮＦＣコイル２１から探索用の交番磁束を放射する。
【００３７】
探索用の交番磁束３１ａ（図６）は、短い時間間隔で、短い時間だけＮＦＣコイル２１から放射する搬送波またはその他の周波数の磁束に相当する。ＮＦＣモジュール２０３は、磁束を放射するときだけ、ＲＦ部２０３ｂを動作させればよいため、待機電力を低減できる。ＮＦＣモジュール２０３は、交番磁束３１ａの放射を開始するタイミングでハードウェア・ライン２０７を通じて送信信号を出力し、放射を停止するタイミングで送信信号を停止する。
【００３８】
タッチパッド１９には、ＮＦＣをするためにＮＦＣカード５３を保持した手が接近する場合とタッチパッド１９を操作するために金属のペンを保持した手が接近する場合がある。交番磁束３１ａがＮＦＣコイル５１や金属のペンと鎖交したときに、金属には渦電流が流れその渦電流は交番磁束を放射する。ＮＦＣモジュール２０３は、交番磁束３１ａを放射している間に、ＮＦＣコイル２１の近辺に金属が接近したことを渦電流が放射する交番磁束と鎖交したＮＦＣコイル２１の電圧の周波数、振幅および位相などから検出する。ＮＦＣモジュール２０３のこのような動作をプレ・ポーリング・モードという。
【００３９】
プレ・ポーリング・モードの間、タッチ・コントローラ２０５は送信信号を受け取ったタイミングで検出の閾値を高くし、送信信号が停止したタイミングで検出の閾値を基準閾値に復帰させる。したがってタッチ・コントローラ２０５は、交番磁束３１ａが放射した交番磁束３１ａによって検出回路２１３にノイズが進入してもそれを指と認識する確率は低下し、かつ実際に接触した指は検出することができる。また、ＮＦＣモジュール２０３は、交番磁束３１ａを弱める必要がないためＮＦＣに影響を与えないようにしながら、ＮＦＣコイル２１の取り付け場所をタッチパッド１９の真下に確保することができる。
【００４０】
プレ・ポーリングは、ＮＦＣカード５３が接近しない時間帯でも行われる。ユーザはプレ・ポーリング・モードの間、タッチパッド１９を使用する必要がある。ＮＦＣモジュール２０３が交番磁束３１ａを放射する間、タッチ・コントローラ２０５の動作を停止すると、タッチパッド１９が使用できなくなるが、本実施の形態では、閾値を高くするだけなのでノイズによる誤動作の防止と指の検出を両立させることができる。
【００４１】
ＮＦＣモジュール２０３はプレ・ポーリングで、ＮＦＣコイル５１と金属のペンを区別することはできないが、ＮＦＣコイル５１の接近を推定することはできる。ブロック３０７で金属を検出したＮＦＣモジュール２０３は、ブロック３０９で、ＮＦＣコイル２１から交番磁束３１ａより長い時間交番磁束３１ｂを放射してＮＦＣコイル５１を認識する。この時点でＮＦＣカード５３は、ＮＦＣコイル５１から受け取った電力で動作する必要はない。ＮＦＣモジュール２０３は、ＮＦＣコイル５１に流れる電流が放射する磁束からＮＦＣカード５３の接近を判断する。ＮＦＣモジュール２０３のこのような動作をフル・ポーリング・モードという。
【００４２】
フル・ポーリング・モードの間、タッチ・コントローラ２０５は送信信号を受け取ったタイミングで検出の閾値を高くし、送信信号が停止したタイミングで検出の閾値を基準閾値に復帰させる。ブロック３１１でＮＦＣモジュール２０３が、ＮＦＣカード５３の接近を推定したときはブロック３１３に移行し、所定時間内に推定できないときはブロック３０５に戻る。
【００４３】
ブロック３１３でＮＦＣモジュール２０３はイニシエータとなって動作して交番磁束３１ｃを放射し、ＮＦＣカード５３は交番磁束３１ｃから電力を受け取ってターゲットとして動作する。ＮＦＣカード５３は、ＮＦＣコイル５１に誘起した電圧から電力を取得してＩＣチップ５５を動作させる。ＮＦＣモジュール２０３は、搬送波を変調してリクエスト・データを送り、ＮＦＣカード５３は副搬送波を負荷変調してＮＦＣコイル５１からレスポンス・データを返送する。ＮＦＣモジュール２０３は、ＮＦＣコイル２１の電圧の振幅や位相の変化からレスポンス・データを取得する。ＮＦＣモジュール２０３のこのような動作をコミュニケーション・モードという。
【００４４】
コミュニケーション・モードでは、ＮＦＣカード５３がタッチパッド１９の表面に接近するか接触している。また、ＮＦＣカード５３を保持する指がタッチパッド１９に接近したり接触したりする。コミュニケーション・モードでもプレ・ポーリング・モードやフル・ポーリング・モードと同様に閾値を高くしただけでは意図しない指の座標を検出する可能性がある。コミュニケーション・モードのときは、ユーザがタッチパッド１９を利用することを想定する必要はない。
【００４５】
ＮＦＣモジュール２０３は、コミュニケーション・モードに移行するとハードウェア・ライン２０９を通じてディスエーブル信号を出力する。ディスエーブル信号を受け取ったタッチ・コントローラ２０５は、タッチパッド１９に対する座標の検出動作を停止する。タッチ・コントローラ２０５は、検出した座標を上位システム２０１に出力しないようにしてもよい。ブロック３１７でコミュニケーション・モードが終了すると、ＮＦＣモジュール２０３はディスエーブル信号を停止してブロック３０３に戻る。
【００４６】
誤動作防止システム２００の構成および動作手順は本発明のひとつの実施形態を示したものであり、本発明の範囲は特許請求の範囲に記載するとおりである。たとえば、フル・ポーリング・モードは省略してもよい。また、ブロック３０１〜３０５までの順番はシステムにより異なるため特に問わない。コミュニケーション・モードでは、ハードウェア・ライン２０９を通じてディスエーブル信号を伝送したが、コミュニケーション・モードのときにもＮＦＣモジュール２０３は上位システム２０１にディスエーブル信号を送り、上位システム２０１が受け取った座標を破棄するようにしてもよい。また、電磁結合型の無線通信を例示して説明したが、本発明は電磁波を利用した無線通信に適用することもできる。
【００４７】
[タッチスクリーンへの適用]
本発明は、タッチパッドの誤動作防止だけでなくタッチスクリーンの誤動作防止に適用することもできる。図７は、他の実施形態にかかるデュアル・スクリーン式の電子機器４００の斜視図である。電子機器４００は、トップ側筐体４０１とボトム側筐体４０５がヒンジ機構で結合している。トップ側筐体４０１はタッチスクリーン４０３を収納し、ボトム側筐体４０５はタッチスクリーン４０７を収納している。
【００４８】
電子機器４００は、ヒンジ機構でトップ側筐体４０１とボトム側筐体４０５の相対的な姿勢および必要に応じて机上面に対する姿勢を変化させて複数の使用モードで使用できる。使用モードの一例において、タッチスクリーン４０７にソフトウェア・キーボードを表示してラップトップとして使用することができる。タッチスクリーン４０７のコーナーの下には、ＮＦＣカード５３と通信するためのＮＦＣコイル４１１を配置している。
【００４９】
タッチスクリーン４０７は、タッチパネルまたはタッチパネル機能と液晶パネルで構成する。タッチスクリーン４０７におけるタッチパネルの組み込み方式には、外付け型と内蔵型がある。外付け型は、液晶パネルの上面にタッチパネルを配置する。内蔵型には、オン・セル型とイン・セル型が存在する。オン・セル型は、液晶パネルのカラー・フィルター基板と偏光板の間に、ＩＴＯの電極パターンを形成してタッチパネル機能を組み込む。イン・セル型は、液晶パネルのＴＦＴアレイ基板の画素内にＩＴＯで形成したタッチパネル機能を組み込む。
【００５０】
これらのタッチスクリーン４０７に対してＮＦＣコイル４１１は、さまざま方法で配置することができる。空間にＮＦＣに必要な磁束を放射するためには、ＮＦＣコイル４１１をタッチスクリーン４０７の表面に近いところに配置することが望ましい。外付け型のタッチスクリーン４０７では、ＩＴＯフィルムで形成したＮＦＣコイル４１１をタッチパネルと液晶モジュールの間に配置することができる。
【００５１】
内蔵型のタッチスクリーン４０７では、カラー・フィルター基板の上や、ＴＦＴアレイ基板にＩＴＯでＮＦＣコイル４１１を形成することができる。このようなタッチスクリーン４０７では、ＮＦＣコイル４１１が放射する交番磁束でタッチスクリーン４０７に誤動作が生じる場合があるが、図４、図５で説明した方法を適用して解決することができる。
【００５２】
これまで本発明について図面に示した特定の実施の形態をもって説明してきたが、本発明は図面に示した実施の形態に限定されるものではなく、本発明の効果を奏する限り、これまで知られたいかなる構成であっても採用することができることはいうまでもないことである。
【符号の説明】
【００５３】
１０  ラップトップ
１９  タッチパッド
２１、４１１  ＮＦＣコイル
３１、３１ａ、３１ｂ、３１ｃ  交番磁束
５１  ＮＦＣコイル
５３  ＮＦＣカード
２００  誤動作防止システム
【図１】
2017228173.tif 000003
【図２】
2017228173.tif 000004
【図３】
2017228173.tif 000005
【図４】
2017228173.tif 000006
【図５】
2017228173.tif 000007
【図６】
2017228173.tif 000008
【図７】
2017228173.tif 000009
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
電磁結合型の無線モジュールと、
前記無線モジュールに接続されたコイルと、
タッチパネルと、
前記タッチパネルに対する操作を所定の検出感度で検出し、前記無線モジュールからハードウェア伝送路を通じて受け取った前記コイルが交番磁束を放射していることを示す送信信号に応じて前記検出感度を低下させるタッチ・コントローラと
を有する電子機器。
【請求項２】
電磁結合型の無線モジュールと、
前記無線モジュールに接続されたコイルと、
タッチパネルと、
前記タッチパネルに対する操作を所定の検出感度で検出し、前記無線モジュールが通信対象デバイスの接近を探索するための交番磁束を放射している間前記検出感度を低下させるタッチ・コントローラと
を有する電子機器。
【請求項３】
前記タッチ・コントローラは前記無線モジュールが前記通信対象デバイスと通信するための交番磁束を放射している間、前記タッチパネルからの入力をディスエーブルにする請求項２に記載の電子機器。
【請求項４】
前記無線モジュールが近距離無線通信（ＮＦＣ）の規格に適合する請求項１または請求項２に記載の電子機器。
【請求項５】
前記タッチパネルがマウス・カーソルの操作をするタッチパッドである請求項１または請求項２に記載の電子機器。
【請求項６】
前記コイルを前記タッチパッドの裏面に前記タッチパッドに隣接するように配置した請求項５に記載の電子機器。
【請求項７】
前記タッチパッドの輪郭の投影が前記コイルの輪郭に重なる請求項６に記載の電子機器。
【請求項８】
前記コイルを前記タッチパッドの裏面に配置した前記タッチパッドの回路基板上のパターンで形成した請求項５に記載の電子機器。
【請求項９】
前記コイルがディスプレイを含むタッチスクリーンに組み込まれている請求項１または請求項２に記載の電子機器。
【請求項１０】
無線モジュールとタッチパッドを搭載した電子機器が前記タッチパッドの誤動作を防止する方法であって、
前記タッチパッドが指の接近により変化する物理量を所定の検出感度で検出するステップと、
前記無線モジュールが前記タッチパッドに接近した相手側デバイスを検出するための第１の交番磁束を放射するステップと、
前記第１の交番磁束の放射に応じて前記所定の検出感度を低下させるステップと、
前記第１の交番磁束の放射の停止に応じて前記所定の検出感度に復帰するステップと
前記相手側デバイスと通信するための第２の交番磁束を放射するステップと、
前記第２の交番磁束を放射する間、前記タッチパッドの検出機能を停止するステップと
を有する方法。
【手続補正２】
【補正対象書類名】明細書
【補正対象項目名】００３９
【補正方法】変更
【補正の内容】
【００３９】
プレ・ポーリング・モードの間、タッチ・コントローラ２０５は送信信号を受け取ったタイミングで検出の閾値を高くし、送信信号が停止したタイミングで検出の閾値を基準閾値に復帰させる。したがってタッチ・コントローラ２０５は、交番磁束３１ａが放射した交番磁束３１ａによってセンス回路２１３にノイズが進入してもそれを指と認識する確率は低下し、かつ実際に接触した指は検出することができる。また、ＮＦＣモジュール２０３は、交番磁束３１ａを弱める必要がないためＮＦＣに影響を与えないようにしながら、ＮＦＣコイル２１の取り付け場所をタッチパッド１９の真下に確保することができる。